(57)【要約】【課題】一般用ツーリング収納具でもＢＴシャンクのツーリングを横向きで収納できるツーリング収納具のどちらにも用いることができるのブッシュを提供すること。【解決手段】複数の丸穴を持つ棚板を具備するツーリング収納具の丸穴それぞれを覆うように被せることで丸穴の箇所をツーリングの収納ホルダとして機能させるツーリング収納用のブッシュ10において、ブッシュ10が上部の大径部16と下部の小径部18との、径の異なる箇所を少なくとも２箇所有する、軸方向を含む断面が逆階段状の略円筒形とし、大径部16の内筒側に、収納するツーリングを固定するための突起部材12を有するものとしたうえで、突起部材12を含む箇所14がブッシュ本体11から分離できるようにした。【選択図】図２
2020032482.tif 000002
【特許請求の範囲】
【請求項１】
複数の丸穴を持つ棚板を具備するツーリング収納具の前記丸穴それぞれを覆うように被せることで当該丸穴の箇所をツーリングの収納ホルダとして機能させるツーリング収納用のブッシュにおいて、
前記ブッシュは、上部の大径部と下部の小径部との、径の異なる箇所を少なくとも２箇所有する、軸方向を含む断面が逆階段状の略円筒形であって、
前記大径部の内筒側に、収納するツーリングを固定するための突起部材を有するものであって、
前記突起部材を含む箇所が前記ブッシュから分離できるものであることを特徴とするツーリング収納用のブッシュ。
【請求項２】
前記ブッシュにおいて前記突起部材を含む箇所を除いた残部をブッシュ本体としたとき、
分離した前記突起部材を含む箇所が、前記ブッシュ本体の分離前の箇所に再度取り付けられるものである、請求項１記載のツーリング収納用のブッシュ。
【請求項３】
前記突起部材は、
軸側とテーパー側の２箇所のフランジをもち前記テーパー側のフランジに切り欠き箇所を有するＢＴシャンクのツーリングを、収納時に前記ツーリング収納具に固定する部材であって、
その円周方向は、前記内径と同じ湾曲角度で湾曲しており、かつその長さが前記切り欠き箇所の切り欠き長さよりも短く、
その円軸方向は、長さが前記軸側フランジと前記テーパー側フランジの距離よりも短いものである、請求項１記載のツーリング収納用のブッシュ。
【請求項４】
前記突起部材を含む箇所の背面が、前記ブッシュ本体における取り付け箇所と噛み合わさって一体化し、その噛み合わせを外すことで前記突起部材が前記ブッシュ本体から分離することができる、請求項２記載のツーリング収納用のブッシュ。
【発明の詳細な説明】
【技術分野】
【０００１】
本発明は、ツーリング収納具の棚板に設けた丸穴に被せて、その箇所をツーリングの収納ホルダとして機能させるツーリング収納用のブッシュに関する。
【背景技術】
【０００２】
金属の切削や穴開け加工などを行なうフライス盤やマシニングセンタなどの工作機械には、ドリルやエンドミルなどの先端工具を取り付ける必要がある。先端工具を工作機械に取り付けるためのアダプターを一般にツーリング（tooling、工具保持具）と呼んでいる。
【０００３】
ツーリングの工作機械と接続する側はシャンク(shank，工具を把持する部分)と呼ばれる。シャンクの形状には使用する工作機械の種類や要求される仕上がり精度に応じた複数の規格がある。代表的な規格としては、主にマシニングセンタなどの自動工具交換装置に向けのＢＴ(ボトルグリップテーパ）シャンク（図８参照）、主にフライス盤などの工具交換を手作業で行う機械向けＮＴ（ナショナルテーパー）シャンク（図９参照）、より高い仕上がり精度を要求される機械工作に使用されるＨＳＫシャンク(中空テーパーシャンク、ISO規格)（図１０参照）などがある。
【０００４】
工作機械から取り外されたツーリングは、ツーリング用の収納具に収納される。ツーリング用の収納具として、複数のツーリングを収納できるツーリングケース、ツーリングラック、ツーリングワゴンなどと呼ばれるものがある（以下、これらの総称として「ツーリング収納具」と呼ぶ。）。ツーリング収納具は一般的に、ツーリングを収納する位置として丸穴を空けた棚板を有している。ただしツーリングをその丸穴に差し込んで収納するだけであると、収納したツーリングが不安定になることに加え、ツーリングの差し込み、引き出し時にツーリングを傷つけることになりかねない。これは高い仕上がり精度を要求される先端工具のアダプターの保管としては不適切である。そこで通常、ツーリング収納具の丸穴には、合成樹脂など柔らかい素材でできたブッシュ（bush、軸受け筒）を覆うように被せることで、単なる丸穴にツーリングの保管に適切な収納ホルダとしての機能を付与している（図１１〜図１４参照）。このような収納ホルダは「ツーリングホルダー」、「ツーリングアダプター」などとも呼ばれることがある。
【０００５】
ツーリングを収納するときには、前記のとおりツーリング収納具に設けられた収納ホルダに差し込んで収納することになるが、その際ツーリングのシャンク側を収納ホルダに差し込むのが一般的である。したがって、収納ホルダに用いるブッシュはそれぞれのシャンク形状に相応するような形状とすることが求められる。図１１に示したような一般的なツーリング収納具では、差し込んだツーリングが容易に落下しないように、図１２に示したように差し込んだツーリングが斜め上を向くように棚板が配される。棚板を複数列配するツーリング収納具の場合、差し込んだツーリングのシャンクがぶつからないように、また取り出しやすさの観点から、棚板と棚板の間隔を広く取るのが通常である。ただしこのため収納できるツーリングの個数は制限される。
【０００６】
ただし、シャンクがＢＴシャンクのツーリングの場合は様子が異なる。ＢＴシャンクでは回転軸を中心とするフランジが２箇所に設けられる。説明の便宜上、工作機械と連結される側（シャンク側）のフランジをテーパー側フランジとし、先端工具側のフランジと区別すると、テーパ側フランジには回転軸上下方向に透過する切り欠き部位が存在する。ＢＴシャンクのツーリングでは、図１３に示したような、この切り欠き部位を利用して、ツーリング収納具への収納の際にツーリングが容易に落下しないように収納することができるツーリング収納具がある。具体的には、ＢＴシャンクのツーリングを受ける収納ホルダのブッシュには予め突起を設ける。そして収納のためにツーリングを差し込む際には、該突起にテーパー側フランジの切り欠きを通過させて、２箇所のフランジの間の位置まで差し込んだ後、シャンクを回転させ、フランジ間に前記突起が挟まれることで、収納されるタイプのものがある。このようなタイプのツーリング収納具に収納されたＢＴシャンクのツーリングでは、ツーリングがツーリング収納具に固定されることで容易には落下しないため、図１４に示したように、シャンクが横を向くように配することができる。これにより、複数の棚板を具備する場合でも、棚板間の距離を広く取る必要がなくなるので、ＢＴシャンクのツーリングを横向きで収納できるツーリング収納具では、その他の規格のシャンクのツーリングよりも同じ大きさでより多くのツーリングを保管することができる。
【０００７】
ただし、従来、このようなＢＴシャンクのツーリングを横向きで収納できるツーリング収納具に使用するブッシュは、その他のツーリング収納具に使用するブッシュとは別に用意する必要があった。すなわち、ＢＴシャンクのツーリングを横向きで収納できるツーリング収納具に用いるブッシュには、前記のとおり、両者を固定するための突起を設ける必要がある。一方で、そのような突起のあるブッシュを一般用ツーリング収納具に用いると、突起がツーリング収納の邪魔となり、安定したツーリングの収納ができなくなる。
【先行技術文献】
【特許文献】
【０００８】
【特許文献１】公開実用昭５９−３９１８３号公報
【特許文献２】公開実用昭５７−７３０８９号公報
【特許文献３】特開平１０−２９１７６号公報
【特許文献４】特開２００９−１７２６８８号公報
【特許文献５】特開２００４−２５５５１６号公報
【発明の概要】
【発明が解決しようとする課題】
【０００９】
上記事情に鑑みて、本発明では、一般用ツーリング収納具でもＢＴシャンクのツーリングを横向きで収納できるツーリング収納具のどちらにも用いることができるツーリング収納用のブッシュを提供することを課題とする。
【課題を解決するための手段】
【００１０】
上記課題を解消するため、複数の丸穴を持つ棚板を具備するツーリング収納具の前記丸穴それぞれを覆うように被せることで当該丸穴の箇所をツーリングの収納ホルダとして機能させるツーリング収納用のブッシュにおいて、本発明では
前記ブッシュは、上部の大径部と下部の小径部との、径の異なる箇所を少なくとも２箇所有する、軸方向を含む断面が逆階段状の略円筒形であって、前記大径部の内筒側に、収納するツーリングを固定するための突起部材を有するものであって、前記突起部材を含む箇所が前記ブッシュから分離できるものであることを主要な特徴とする。
【発明の効果】
【００１１】
本発明のツーリング収納用のブッシュは、一般用ツーリング収納具にもＢＴシャンクのシャンク横向きで収納できるツーリング収納具にも共用で使用できるブッシュであるから品揃えしなければならない部品の種類数を減らすことができる。
【図面の簡単な説明】
【００１２】
【図１】本発明のブッシュの斜視図である。
【図２】本発明のブッシュの部品分解図である。
【図３】突起部材を含む箇所をブッシュ本体に取り付ける様子を示した図である。
【図４】本発明のブッシュを取り付けた収納ホルダにＢＴシャンクのツーリングを差し込む途中の様子を示した斜視図である。
【図５】図４を経て収納ホルダにＢＴシャンクのツーリングを収納した様子を示す断面図である。（ａ）垂直断面図（ｂ）Ａ−Ａ線水平断面図
【図６】図５を経てツーリングを回転させてツーリング収納具に固定した様子を示す断面図である。（ａ）垂直断面図（ｂ）Ｂ−Ｂ線水平断面図
【図７】本発明の（突起部材を外した）ブッシュを取り付けた収納ホルダにＮＴシャンクのツーリングを収納した様子を示す断面図である。（ａ）垂直断面図（ｂ）Ｃ−Ｃ線水平断面図
【図８】ＢＴシャンクのツーリングの一例を示す斜視図である。
【図９】ＮＴシャンクのツーリングの一例を示す斜視図である。
【図１０】ＨＳＫシャンクのツーリングの一例を示す斜視図である。
【図１１】一般用ツーリング収納具の斜視図である。
【図１２】図１１の収納具にツーリングを収納した状態を示す垂直断面図である。
【図１３】ＢＴシャンクのツーリングをシャンク横向きで収納するツーリング収納具の斜視図である。
【図１４】図１３のツーリング収納具にＢＴシャンクのツーリングを固定して収納した状態を示す垂直断面図である。
【発明を実施するための形態】
【００１３】
以下、図面を用いて本発明を詳述するが、本発明は図面に示された様態のみに限られるものではない。
【００１４】
（収納ホルダ）
本発明にいうツーリング収納用のブッシュとは、本明細書の背景技術の欄で説明したとおりであるが、語句解釈の明確化のため改めて説明する。ツーリング（tooling、工具保持具）とは、ドリルやエンドミルなどの先端工具を、フライス盤やマシニングセンタなどの工作機械に取り付けるためのアダプターのことをいう。ツーリングを複数個収納するものをツーリング収納具と呼び、該ツーリング収納具に具備されている棚板におけるツーリング収納箇所を収納ホルダと呼ぶ。該収納ホルダに取り付けられている部材をブッシュ（bush、軸受け筒）と呼ぶものとする。
【００１５】
ツーリング収納具３０の基材や棚板３２に使われる素材は、強度の面からステンレスなどの金属であることが一般的である。一方、ブッシュ１０に使用する部材は、特に限定されるものではないが、合成樹脂、ゴム、エラストマーなどクッション性のある柔らかい素材が適している。
【００１６】
ツーリング収納具３０の棚板３２には、複数の丸穴が設けられ、これら丸穴にブッシュ１０を覆うように被せることでツーリング２０の収納ホルダ３４として機能させる。すなわちブッシュ１０はツーリング２０を傷つけることなく収納するために設ける部材である。
【００１７】
（ブッシュ）
本発明のブッシュ１０に限らないが、ブッシュの形状は、一般的にツールリングのシャンク２２を保持できるようにした略円筒形である。詳しくは、上部の大径部１６と下部の小径部１８との、径の異なる箇所を少なくとも２箇所有する軸方向を含む断面が逆階段状の略円筒形である。ここで上部とは、ツーリング２０のシャンク２２が差し込まれる側とする。少なくとも２箇所以上であるので、大径部１６と小径部１８の間にその間の直径を持つ中径部（図示せず）などを設けてもよい。
【００１８】
大径部１６の直径は、収納されるツーリング２０の大きさに対応して適宜決めることができる。一例を挙げると、大きなブッシュ１０の大径部１６の直径は１０２ｍｍ、小さなブッシュ１０の大径部１６の直径は６５ｍｍである。小径部１８の直径もツーリング２０の大きさに対応して適宜決めることができるが、具体的には大径部１６の大きさやシャンク２２のテーパー角度によって適宜決められる。
【００１９】
本発明のブッシュ１０では、図１に示したとおり、大径部１６の内筒側に、収納するツーリング２０を固定するための突起部材１２を設ける。この突起部材１２は後述の通り、ツーリング２０がツーリング収納具３０に固定状態で収納され、もってツーリング２０の落下を防止すための突起である。
【００２０】
突起部材１２の円周方向は、一般に、当該突起部材１２が配されている大径部１６の内径と同じ湾曲角度で湾曲している。また、突起部材１２は、テーパー側フランジ２４Ａと軸側（先端工具側）のフランジ２４Ｂとの間に挟まれなければならないことから、その円周方向の長さは、テーパー側フランジ２４Ａの切り欠き２６箇所の切り欠きの長さよりも短くなるとともに、その円軸方向の長さは、軸側フランジ２４Ｂとテーパー側フランジ２４Ａの距離よりも短くなる。
【００２１】
本発明のブッシュ１０に設けた突起部材１２は、突起部材を含む箇所１４から分離できる。「突起部材を含む箇所」であるから、分離されるのは突起部分のみでも良いが、突起部分を含む一画であっても良い。図２は本発明のブッシュ１０から、突起部材を含む箇所１４とブッシュ本体１１（ブッシュ１０から突起部材を含む箇所１４の除いた残部）を分離した部品分解図である。
【００２２】
上述の通り、突起部材１２の形状や大きさは、収納されるＢＴシャンクのツーリング２０Ａの形状や大きさによって定められる。具体的な例として、形状は図２の突起部材を含む箇所１４の図に示したように、中心軸に向かう方向を高さとする略三角形である。大きさは、小さいブッシュ１０の例として円周方向長さが１５ｍｍ、円軸方向長さ（略三角形底面）が５ｍｍ、中心軸に向かう高さ（略三角形高さ）が７ｍｍ程度、大きいブッシュ１０の例として円周方向長さが２２ｍｍ、円軸方向長さ（略三角形底面）が１０ｍｍ、中心軸に向かう高さ（略三角形高さ）が１２ｍｍ程度である。
【００２３】
ツーリング収納具３０の収納ホルダ３４に収納されるツーリング２０のシャンク２２がいつも同じシャンクであるのであれば、つまり、ツーリング収納具３０を使用するにあって、決まったツーリングのみを収納し、将来的にも異なる形状のシャンクのツーリングを収納することがないのであれば、突起部材を含む箇所１４は、ブッシュ本体１１から一旦分離されたら再び元の箇所に戻せないものであっても良い。一方、ツーリング収納具３０の使用中に、別の種類のツーリング２０が収納されることがあることを考慮して、一旦分離された突起部材を含む箇所１４を再びブッシュ本体１１の取り外す前の箇所に取り付けることができることは好ましい。
【００２４】
具体的には、図３に示したように、突起部材を含む箇所１４の背面が、ブッシュ本体１１における取り付け箇所と噛み合わさって一体化し、その噛み合わせを外すことで突起部材を含む箇所１４をブッシュ本体１１から取り外すことができ、また逆に、突起部材を含む箇所１４をブッシュ本体１１を噛み合わせることで、両者が再び一体化できるるようにすることが好ましい。
【００２５】
（ツーリングの収納）
本発明のブッシュ１０は、ツーリング収納具３０の棚板３２に設けた丸穴に取り付けることによって収納ホルダ３４として使用するが、ツーリング収納具３０が、一般用ツーリング収納具３０Ａ（図１１参照）かシャンク横向きのＢＴシャンク用のツーリング収納具３０Ｂ（図１３参照）であるかによって使用方法が異なる。
【００２６】
横向きのＢＴシャンク２２用のツーリング収納具３０Ｂの場合は、突起部材１２が存在する状態の本発明のブッシュ１０を棚板３２の丸穴に被せて収納ホルダ３４とする。ＢＴシャンクのツーリング２０Ａを収納する際には、まず図４に示したようにシャンク２２側から収納ホルダ３４に差し込む。ＢＴシャンクのツーリング２０Ａには、図８に示したように、テーパー側フランジ２４Ａと先端工具側のフランジ２４が存在し、テーパー側フランジ２４Ａには回転軸上下方向に透過する切り欠き２６が存在するので、収納の際には、図５の断面図に示したように、突起部材１２をテーパー側フランジ２４Ａの切り欠き２６を通過させて、２箇所のフランジ２４（２４Ａと２４Ｂ）の間の位置に達するまで差し込む。その後、図６の断面図に示したように差し込んだツーリング２０を回転（図６では９０°回転）させて、突起部材１２がテーパー側フランジ２４Ａと先端工具側のフランジ２４の間に挟まれることで、ツーリング２０がツーリング収納具３０Ｂに固定されて収納される。
【００２７】
一方、一般用ツーリング収納具３０Ａの場合は、ブッシュ１０本体から突起部材を含む箇所１４を分離した本発明のブッシュ１０を棚板３２の丸穴に被せて収納ホルダ３４とする。この場合、図７に示したようにツーリング２０（図７では、ＮＴシャンクのツーリングを例としている。）は、収納ホルダ３４に差し込んで収納するだけであり、ツーリング収納具３０Ａに固定されるものではない。
【産業上の利用可能性】
【００２８】
本発明のツーリング収納用のブッシュは、異なるタイプのツーリング収納具の部材として使用でき、これにより種類の品揃えを減らすことができるので産業上の利用価値は大きい。
【符号の説明】
【００２９】
１０    ブッシュ
１１    ブッシュ本体
１２    突起部材
１４    突起部材を含む箇所
１６    大径部
１８    小径部
２０    ツーリング
２０Ａ    ＢＴシャンクのツーリング
２０Ｂ    ＮＴシャンクのツーリング
２０Ｃ    ＨＳＫシャンクのツーリング
２２    シャンク
２４    フランジ
２４Ａ    テーパー側フランジ
２４Ｂ    軸側フランジ
２６    切り欠き
３０    ツーリング収納具
３０Ａ    一般用ツーリング収納具
３０Ｂ    シャンク横向きのＢＴシャンク用のツーリング収納具
３２    棚板
３４    収納ホルダ
【図１】
2020032482.tif 000003
【図２】
2020032482.tif 000004
【図３】
2020032482.tif 000005
【図４】
2020032482.tif 000006
【図５】
2020032482.tif 000007
【図６】
2020032482.tif 000008
【図７】
2020032482.tif 000009
【図８】
2020032482.tif 000010
【図９】
2020032482.tif 000011
【図１０】
2020032482.tif 000012
【図１１】
2020032482.tif 000013
【図１２】
2020032482.tif 000014
【図１３】
2020032482.tif 000015
【図１４】
2020032482.tif 000016